(57)【要約】【課題】  互いに貼り合わされた２枚の大型ガラス基板をその各外面に形成されたスクライブラインに沿って切断したとき、切断後のガラス基板の端面がその表面に対して斜めに割れたり、バリが発生するといった、外形不良が発生する度合いを抑制する。【解決手段】  行方向に延びるスクライブライン用仮想ライン１３と列方向に延びるスクライブライン用仮想ライン１５との交差部に対応する部分における両大型ガラス基板１１、１２間には、シール材３と同一の材料からなる支柱７が介在されている。そして、両大型ガラス基板１１、１２の外面にスクライバを用いてスクライブラインを形成すると、支柱７に対応する領域に形成されるスクライブラインの深さが所定の深さよりも深くなり、ひいては切断後のガラス基板の端面がその表面に対して斜めに割れたり、バリが発生するといった、外形不良が発生する度合いを抑制することができる。【選択図】  図３
2008033080.tif 000002
【特許請求の範囲】
【請求項１】
完成された液晶表示装置を複数個形成することが可能な面積を有する一対のガラス基板を用意する工程と、前記一対のガラス基板の間に複数のシール材と前記一対のガラス基板に端部がそれぞれ当接する支柱とを介在させた状態で前記一対のガラス基板を貼り合わせて液晶表示装置形成用構成体を形成する工程と、前記液晶表示装置形成用構成体が形成された状態で前記一対の各ガラス基板において互いに対向する面と反対側の各面に互いに交差する少なくとも複数のスクライブラインを形成する工程を含み、前記支柱のうち少なくとも一部が前記一対のガラス基板の間における前記スクライブラインに対応する領域と重なるように設けられることを特徴とする液晶表示装置の製造方法。
【請求項２】
請求項１に記載の液晶表示装置の製造方法において、前記支柱のうち少なくとも一部が前記一対のガラス基板の間における前記スクライブラインが交差する部分に対応する領域と重なるように設けられることを特徴とする液晶表示装置の製造方法。
【請求項３】
請求項１に記載の液晶表示装置の製造方法において、前記支柱のうち少なくとも一部が前記一対のガラス基板の間における前記スクライブラインが交差する部分に対応する領域の周囲に設けられることを特徴とする液晶表示装置の製造方法。
【請求項４】
請求項１に記載の液晶表示装置の製造方法において、前記支柱は、前記シール材と同一の材料によって前記シール材と同時に形成されることを特徴とする液晶表示装置の製造方法。
【請求項５】
請求項１に記載の液晶表示装置の製造方法において、前記支柱は、前記シール材よりも切断され易い前記シール材とは別の材料によって形成されることを特徴とする液晶表示装置の製造方法。
【請求項６】
請求項１に記載の液晶表示装置の製造方法において、前記支柱は、前記一対のガラス基板の間に介在される柱状スペーサと同一の材料によって前記柱状スペーサと同時に形成されることを特徴とする液晶表示装置の製造方法。
【請求項７】
請求項１に記載の液晶表示装置の製造方法において、前記複数のスクライブラインを形成する工程の後に、さらに、前記一対のガラス基板を切断する工程と、次いで、前記支柱を除去する工程とを含むことを特徴とする液晶表示装置の製造方法。
【請求項８】
完成された液晶表示装置を複数個形成することが可能な面積を有する一対のガラス基板と、前記一対のガラス基板の間に介在された複数のシール材と、前記一対のガラス基板に端部がそれぞれ当接する支柱とを備え、
前記支柱は、前記一対のガラス基板の間における、前記一対の各ガラス基板の互いに対向する各面と反対側の各面上に互いに交差するように形成される少なくとも複数のスクライブラインに対応する領域を少なくとも一部に含むように設けられることを特徴とする液晶表示装置形成用構成体。
【請求項９】
一対のガラス基板と、前記一対のガラス基板の間に介在されたシール材と、前記一対のガラス基板に端部がそれぞれ当接する少なくとも一つの支柱とを備え、
前記少なくとも一つの支柱のうち少なくとも一つは、前記一対のガラス基板のうち少なくとも一つのガラス基板上における端部に対応する位置に設けられることを特徴とする液晶表示装置。
【発明の詳細な説明】
【技術分野】
【０００１】
この発明は液晶表示装置形成用構成体、液晶表示装置およびその製造方法に関する。
【背景技術】
【０００２】
従来の液晶表示装置の製造方法には、完成された液晶表示装置を複数個形成することが可能な面積を有する２枚の大型ガラス基板をその間に介在された複数のほぼ方形枠状のシール材を介して貼り合わせて液晶表示装置形成用構成体を形成し、この液晶表示装置形成用構成体をその各外面の行方向および列方向に形成されたスクライブラインに沿って切断し、これにより複数個の液晶表示装置を得る方法がある（例えば、特許文献１参照）。
【０００３】
【特許文献１】特開２００６−１４３５０６号公報
【発明の開示】
【発明が解決しようとする課題】
【０００４】
ところで、液晶表示装置形成用構成体を切断する場合、まず、液晶表示装置形成用構成体が備える一対のガラス基板の各表面のうち外側に位置する２つの表面上に、スクライバを用いてスクライブラインを形成する。この場合、液晶表示装置形成用構成体の構造上、一対のガラス基板の各表面のうち内側に位置する２つの表面上にはスクライブラインを形成することができない。このため、液晶表示装置形成用構成体を切断したときに、外側に位置する各表面上における形状の精度と、この外側の表面に対応する内側に位置する表面上における形状の精度とが異なっていることがあるが、このような場合には、ガラス基板における切断された端面が、ガラス基板の表面に対して垂直とならずに斜めに割れてしまう。また、上述の行方向のスクライブラインと列方向のスクライブラインとが交差する部分においては、上述のガラス基板の端面が、他の部分よりも、比較的大きく、ガラス基板の表面に対して垂直とならずに斜めに割れ易く、比較的大きなバリが発生して、電子機器に組み込むときの支障になるという問題があった。
【０００５】
そこで、この発明は、切断後の端面がその表面に対して斜めに割れたり、バリが発生して、外形不良となる問題が発生する度合いを抑制することができる液晶表示装置形成用構成体、液晶表示装置およびその製造方法を提供することを目的とする。
【課題を解決するための手段】
【０００６】
上記目的を達成するため、請求項１に記載の液晶表示装置の製造方法は、完成された液晶表示装置を複数個形成することが可能な面積を有する一対のガラス基板を用意することと、前記一対のガラス基板の間に複数のシール材と前記一対のガラス基板に端部がそれぞれ当接する支柱とを介在させた状態で前記一対のガラス基板を貼り合わせて液晶表示装置形成用構成体を形成することと、前記液晶表示装置形成用構成体が形成された状態で前記一対の各ガラス基板において互いに対向する面と反対側の各面に互いに交差する少なくとも複数のスクライブラインを形成することを含み、前記支柱のうち少なくとも一部が前記一対のガラス基板の間における前記スクライブラインに対応する領域と重なるように設けられることを特徴とするものである。
請求項８に記載の液晶表示装置形成用構成体は、完成された液晶表示装置を複数個形成することが可能な面積を有する一対のガラス基板と、前記一対のガラス基板の間に介在された複数のシール材と、前記一対のガラス基板に端部がそれぞれ当接する支柱とを備え、前記支柱は、前記一対のガラス基板の間における、前記一対の各ガラス基板の互いに対向する各面と反対側の各面上に互いに交差するように形成される少なくとも複数のスクライブラインに対応する領域を少なくとも一部に含むように設けられることを特徴とするものである。
請求項９に記載の液晶表示装置は、一対のガラス基板と、前記一対のガラス基板の間に介在されたシール材と、前記一対のガラス基板に端部がそれぞれ当接する少なくとも一つの支柱とを備え、前記少なくとも一つの支柱のうち少なくとも一つは、前記一対のガラス基板のうち少なくとも一つのガラス基板上における端部に対応する位置に設けられることを特徴とするものである。
【発明の効果】
【０００７】
この発明によれば、一対のガラス基板の間における、前記一対の各ガラス基板の互いに対向する各面と反対側の各面上に互いに交差するように形成される少なくとも複数のスクライブラインに対応する領域と重なるように支柱を介在させているので、切断後のガラス基板の端面がその表面に対して斜めに割れたり、バリが発生して、外形不良が発生する度合いを抑制することができる。
【発明を実施するための最良の形態】
【０００８】
（第１実施形態）
図１（Ａ）はこの発明の第１実施形態としての製造方法により製造された液晶表示装置の一例の平面図を示し、図１（Ｂ）は図１（Ａ）のＢ−Ｂ線に沿う断面図を示す。この液晶表示装置では、第１のガラス基板１とその上側に対向配置された第２のガラス基板２とがほぼ方形枠状のシール材３を介して貼り合わされ、シール材３の内側における両ガラス基板１、２間に液晶４がシール材３に形成された液晶注入口５を介して注入され、液晶注入口５が封止材６で封止された構造となっている。
【０００９】
この場合、第１のガラス基板１の図１（Ａ）における下辺部は第２のガラス基板２から突出されており、第１のガラス基板１のうち第２のガラス基板２から突出した部分を突出部１ａという。この突出部１ａの上面には接続端子（図示せず）等が設けられている。第２のガラス基板２の図１（Ａ）における上辺部両角部（端部）と第１のガラス基板１との間には、平面ほぼ正方形状で且つ両端部が各ガラス基板１、２に当接された支柱７が設けられている。第１のガラス基板１の突出部１ａの下辺部両角部（端部）の上面には平面ほぼ正方形状の支柱７が設けられている。
【００１０】
次に、この液晶表示装置の製造方法の一例について、図２に示す製造工程図を参照して説明する。まず、図２のステップＳ１（２枚の大型ガラス基板を用意する）において、図３に示すように、完成された液晶表示装置を複数個（例えば、３×３＝９個）形成することが可能な面積を有する２枚の大型ガラス基板１１、１２を用意する。ここで、第１の大型ガラス基板１１の一面には図示しない薄膜トランジスタ、画素電極等が形成され、第２の大型ガラス基板１２の一面には図示しない共通電極等が形成されている。この場合、後述する一点鎖線１３、１５で囲まれた領域は液晶表示装置形成領域１６であり、一点鎖線１３、１４、１５で囲まれた領域のうちシール材３が形成されない方の領域は突出部（１ａ）形成領域１７である。そして、行方向および列方向に隣接する液晶表示装置形成領域１６間には余分の領域は設けられていない。
【００１１】
次に、図２のステップＳ２（シール材を形成する）において、スクリーン印刷法やディスペンサ法等により、第１の大型ガラス基板１１の一面の各液晶表示装置形成領域１６内において各突出部形成領域１７を除く領域を囲繞するように、熱硬化性を有するエポキシ系樹脂等からなるほぼ方形枠状のシール材３を形成すると同時に、第１の大型ガラス基板１１の一面の各液晶表示装置形成領域の４角部（端部）に、同じく熱硬化性を有するエポキシ系樹脂等からなる平面ほぼ正方形状の支柱７を形成する。この場合、シール材３の１箇所には液晶注入口５が形成されている。
【００１２】
次に、図２のステップＳ３（基板を貼り合わせる）において、ステップＳ１で用意した第１および第２の大型ガラス基板１１、１２をそれぞれの一面同士が対向するようにシール材３および支柱７を介して配置し、シール材３および支柱７を加熱して硬化させることにより、２枚の大型ガラス基板１１、１２を互いに貼り合わせる。なお、以下では、このように貼り合わされた２枚の大型ガラス基板１１、１２を含む構成を、液晶表示装置形成用構成体１００と言う。
【００１３】
ここで、図３において、複数のシール材３、３、…の液晶注入口５、５、…の各先端部に沿って行方向に延びる一点鎖線は第１のスクライブライン用仮想ライン１３であり、複数のシール材３の各下辺部の外側に沿って行方向に延びる一点鎖線は第２のスクライブライン用仮想ライン１４であり、複数のシール材３の各左辺部または各右辺部の外側に沿って列方向に延びる一点鎖線は第３のスクライブライン用仮想ライン１５である。後述するように、液晶表示装置形成用構成体１００の外面を構成する第１および第２の大型ガラス基板１１、１２における上記各一面と反対側の各他面には、これらのスクライブライン用仮想ライン１３、１４、１５の何れかに沿って、スクライブラインが形成される。
【００１４】
そして、支柱７は、行方向に延びる第１のスクライブライン用仮想ライン１３と列方向に延びる第３のスクライブライン用仮想ライン１５との交差部に対応する部分における両大型ガラス基板１１、１２間に介在され、その両端部がそれぞれ第１および第２の大型ガラス基板１１、１２に当接されている。この場合、支柱７の平面サイズは、行方向に延びる第１のスクライブライン用仮想ライン１３と列方向に延びる第３のスクライブライン用仮想ライン１５とに沿って形成されるスクライブライン同士が交差する領域の平面サイズよりも大きくなっている。例えば、支柱７の平面サイズは０．３×０．３ｍｍであり、後述するように第１、第３のスクライブライン用仮想ラインに沿って形成されるスクライブラインの幅は約２０μｍである。なお、第１、第３のスクライブライン用仮想ライン１３、１５は支柱７の中心点を通っている。
【００１５】
次に、図２のステップＳ４（第１に切断する）において、図３に示す液晶表示装置形成用構成体１００を裏返した状態において、スクライバを用いて、上側に位置する第１の大型ガラス基板１１の外面に第１、第３のスクライブライン用仮想ライン１３、１５に沿って第１、第３のスクライブラインを形成する。次に、液晶表示装置形成用構成体１００を裏返し、上側に位置する第２の大型ガラス基板１２の上面を加圧する、または、その上面に衝撃を与える等の方法により、シール材３等を介して第１の大型ガラス基板１１の第１、第３のスクライブラインの部分に外力を加え、これにより下側に位置する第１の大型ガラス基板１１を第１、第３のスクライブラインに沿って切断する。
【００１６】
次に、図２のステップＳ５（第２に切断する）において、スクライバを用いて、上側に位置する第２の大型ガラス基板１２の外面に第１、第２、第３のスクライブライン用仮想ライン１３、１４、１５に沿って第１、第２、第３のスクライブラインを形成する。次に、液晶表示装置形成用構成体１００を裏返し、上側に位置する第１の大型ガラス基板１１の上面を加圧する、または、その上面に衝撃を与える等の方法により、シール材３等を介して第２の大型ガラス基板１２の第１、第２、第３のスクライブラインの部分に外力を加え、これにより下側に位置する第２の大型ガラス基板１２を第１、第２、第３のスクライブラインに沿って切断する。
【００１７】
かくして、図４に示す液晶セル１８が９個得られる。この状態では、第２の大型ガラス基板１２のうち突出部形成領域１７（図３に示す第１、第２のスクライブライン用仮想ライン１３、１４間における領域）に対応する部分は除去され、第１のガラス基板１の突出部１ａが露出されている。また、支柱７は両大型ガラス基板１１、１２と共に平面十字状に切断される。そして、第２のガラス基板２の図４における上辺部両角部（端部）と第１のガラス基板１との間には平面ほぼ正方形状の支柱７が残存されている。第１のガラス基板１の突出部１ａの下辺部両角部（端部）の上面には平面ほぼ正方形状の支柱７が残存されている。支柱７の役目については後で説明する。
【００１８】
次に、図２のステップＳ６（液晶を注入する）において、液晶セル１８のシール材３の内側における両ガラス基板１、２間に液晶（図示せず）をシール材３の液晶注入口５を介して注入する。次に、図２のステップＳ７（液晶注入口を封止する）において、液晶セル１８のシール材３の液晶注入口５に光硬化性を有する封止材６（図１（Ａ）参照）を形成し、これを紫外線等の光によって硬化して液晶注入口５を封止する。かくして、図１（Ａ）、（Ｂ）に示す液晶表示装置が得られる。
【００１９】
次に、支柱７の役目について、図７に示す実験結果を用いて説明する。まず、図５に示すように、２枚のガラス基板１、２をシール材３および支柱７を介して貼り合わせたものを用意した。この場合、２枚のガラス基板１、２の平面サイズは同じであり、支柱７は両ガラス基板１、２間の中央部の１箇所に設けられている。そして、図５において、支柱７の中心点を通って行方向に延びる一点鎖線で示すように、両ガラス基板１、２をその各外面に形成されたスクライブライン２１に沿って切断した。この場合、第１、第２のガラス基板１、２の厚さは０．５ｍｍとし、支柱７の平面サイズは０．３×０．３ｍｍとし、スクライブライン２１の幅は約２０μｍとした。
【００２０】
そして、図６において黒丸で示すように、スクライブライン２１上において、支柱７の中心点２１ａ、支柱７の右端面を通る点２１ｂ、支柱７の右端面から０．３ｍｍ、０．５ｍｍ、０．６ｍｍ、１．０ｍｍ、２．０ｍｍ離れた各点２１ｃ、２１ｄ、２１ｅ、２１ｆ、２１ｇにおける第１のガラス基板１の切断面を調べたところ、図７に示す結果が得られた。
【００２１】
図７において、「スクライブ面の外形寸法」とは、第１のガラス基板１のうち第２のガラス基板２に対向する面と反対側の面において、図５に示すシール材３の下辺部外側から切断面までの距離のことを言う。また、「反スクライブ面の外形寸法」とは、第１のガラス基板１のうち第２のガラス基板２に対向する面において、図５に示すシール材３の下辺部外側から切断面までの距離のことを言う。また、「外形誤差」とは、上述のスクライブ面の外形寸法から反スクライブ面の外形寸法を差し引いた値のことを言う。
【００２２】
図７から明らかなように、スクライブライン２１の深さは、支柱７の中心点２１ａで１１０μｍと最も深く、この中心点２１ａから離れるに従って漸次浅くなり、支柱７の右端面から０．５ｍｍ離れた点２１ｄでは１００弱の９７μｍであるが、０．６ｍｍ離れた点２１ｅでは９０μｍとなり、１．０ｍｍ離れた点２１ｆでは７２μｍとなり、２．０ｍｍ離れた点２１ｇでは１５μｍと極端に浅くなっている。
【００２３】
スクライブ面の外形寸法は、スクライブライン２１の深さに関係無く、３．９７ｍｍと一定である。これは、第１のガラス基板１の外面における切断面が当該外面に形成されたスクライブライン２１に追従して直線状になっている。これに対し、反スクライブ面の外形寸法はばらばらであり、スクライブライン２１の深さの影響を受けていることがわかる。
【００２４】
そして、外形誤差は、支柱７の右端面から０．３ｍｍ離れた点２１ｃでは±０ｍｍであり、その左側ではマイナス（−０．０２ｍｍ、−０．０１８ｍｍ）であり、その右側ではプラス（０．０２ｍｍ、０．０３ｍｍ、０．０９ｍｍ、０．１４ｍｍ）であって右側に行くに従って漸次大きくなっている。ここで、外形誤差は、０．０２ｍｍ以下であれば、液晶表示装置を電子機器に組み込むときの支障になり難いため、ガラス基板の切断後の端面が、ガラス基板の表面に対して垂直とならずに斜めに割れるといった外形不良となる問題が発生する度合いを抑制することができているものと見做すことができ、また、特に、ガラス基板の角部（端部）において、ガラス基板の切断後の端面が他の部分よりも比較的大きくその表面に対して斜めに割れたり、比較的大きなバリが発生して、外形不良となる問題が発生する度合いを抑制できているものと見做すことができる。
【００２５】
具体的には、外形誤差は、支柱７の中心点２１ａ（−０．０２ｍｍ）、支柱７の右端面を通る点２１ｂ（−０．０１８ｍｍ）、支柱７の右端面から０．３ｍｍ離れた点２１ｃ（±０ｍｍ）、支柱７の右端面から０．５ｍｍ離れた点２１ｄ（０．０２ｍｍ）では、外形不良となる問題が発生する度合いを抑制できているものと見做されるが、支柱７の右端面から０．６ｍｍ、１．０ｍｍ、２．０ｍｍ離れた各点２１ｅ（０．０３ｍｍ）、２１ｆ（０．０９ｍｍ）、２１ｇ（０．１４ｍｍ）では、外形不良となる問題が発生する度合いを抑制できているものとは見做されない。したがって、外形不良となる問題が発生する度合いを抑制するためには、外形不良が発生し易いい部分の近傍、即ち、０．０５ｍｍ以内の領域に支柱７が形成されるようにすればよい。
【００２６】
以上の実験結果に基づいて、上述した第１実施形態に係る液晶表示装置のように、図３に示す液晶表示装置形成用構成体１００において、従来外形不良となる問題が発生する度合いが高かった第１、第３のスクライブライン用仮想ライン１３、１５の交差部に対応する部分に支柱７を設ける構成とすると、当該液晶表示装置形成用構成体１００を切断して形成された、図４に示す第１のガラス基板１の４角部（端部）において外形不良が発生する度合いを抑制することができた。同様に、図４に示す第２のガラス基板２の上辺部の２角部（端部）においても、上述の第１のガラス基板の４角部（端部）と同等の効果が得られた。
【００２７】
なお、これは、第１、第３のスクライブライン用仮想ライン１３、１５の交差部に対応する部分におけるスクライブ強さが安定し、当該部分に形成されるスクライブラインの深さが所定深さ（９７μｍ）よりも深くすることができたことによる（支柱７の中心点で１１０μｍ、支柱７の端面で１０５μｍ）ものと考えられる。
【００２８】
より詳しくは、スクライブラインは、微視的に見ると、第１および第２の大型ガラス基板１１、１２の外面に形成された凹凸となっているので、スクライブライン同士が交差する部分においては、先に形成された一のスクライブラインと交差するように他のスクライブラインを形成する際、一のスクライブラインに対応する凹凸をスクライバが乗り越えるために、スクライバが上述のガラス基板の外面を押圧する圧力が不安定となり、スクライバがガラス基板の外面を押圧する圧力が小さくなり易く、このような部分に形成されるスクライブラインは他の部分よりも浅く形成されるため、スクライブライン同士が交差する部分において、他の部分よりも外形不良が発生する度合いが高かったものと考えられる。
【００２９】
（第２実施形態）
図８はこの発明の第２実施形態としての製造方法により製造された液晶表示装置の一例の平面図を示す。この液晶表示装置において、図１（Ａ）に示す液晶表示装置と異なる点は、支柱７を、さらに、第２のガラス基板２の図８における下辺部両角部（端部）と第１のガラス基板１との間と、第１のガラス基板１の突出部１ａの図８における上辺部両角部（端部）の上面とに、連続して設けた点である。
【００３０】
次に、図９は図８に示す液晶表示装置の製造方法の一例を説明するために示す図３同様の平面図である。図９において、図３に示す場合と異なる点は、支柱７を、さらに、第２のスクライブライン用仮想ライン１４と第３のスクライブライン用仮想ライン１５との交差部に対応する部分における両大型ガラス基板１１、１２間に介在させた点である。そして、上記第１実施形態の場合と同様の製造工程を経ると、図８に示す液晶表示装置が得られる。この場合、図８に示す第１、第２のガラス基板１、２の４角部（端部）における外形誤差を０．０２ｍｍ以下とすることができ、外形不良となる問題が発生する度合いを抑制することができる。
【００３１】
（第３実施形態）
図１０はこの発明の第３実施形態としての製造方法により製造された液晶表示装置の一例の断面図を示す。この液晶表示装置において、図１（Ａ）に示す液晶表示装置と大きく異なる点は、第１のガラス基板１の相隣接する２辺部（下辺部および右辺部）を第２のガラス基板２から突出させた点である。ここでも、上述の第１、第２実施形態と同様に、第１のガラス基板１のうち第２のガラス基板２から突出した部分を突出部１ａという。
【００３２】
この場合、第２のガラス基板２の４角部（端部）と第１のガラス基板１との間にはそれぞれ支柱７ａが設けられている。図１０における、第２のガラス基板２の右上角部（端部）、右下角部（端部）および左下角部（端部）の３角部（端部）と隣接する領域における第１のガラス基板１の突出部１ａの上面にはそれぞれ支柱７ｂが上述の第２のガラス基板２の３角部（端部）に設けられた各支柱７ａと連続して設けられている。図１０における、第１のガラス基板１の右上角部（端部）、右下角部（端部）および左下角部（端部）の３角部（端部）の上面にはそれぞれ支柱７ｃが設けられている。
【００３３】
次に、図１１は図１０に示す液晶表示装置の製造方法の一例を説明するために示す図３同様の平面図である。図１１において、図３に示す場合と大きく異なる点は、液晶表示装置として、図１０に示すように、第１のガラス基板１の相隣接する２辺部（下辺部および右辺部）が第２のガラス基板２から突出されたものを得るため、突出部形成領域１７を平面ほぼＬ字状とした点である。
【００３４】
この場合、スクライブライン用仮想ライン１３、１９で囲まれた領域は液晶表示装置形成領域１６となっている。この液晶表示装置形成領域１６のうち、スクライブライン用仮想ライン１３、１４、１５、１９で囲まれた領域以外が突出部形成領域１７となっている。支柱７は、行方向に延びるスクライブライン用仮想ライン１３、１４と列方向に延びるスクライブライン用仮想ライン１５、１９との交差部に対応する部分における両大型ガラス基板１１、１２間に介在されている。そして、上記第１実施形態の場合とほぼ同様の製造工程を経ると、図９に示す液晶表示装置が得られる。この場合、図１０に示す第１、第２のガラス基板１、２の４角部（端部）における外形誤差を０．０２ｍｍ以下とすることができ、外形不良となる問題が発生する度合いを抑制することができる。
【００３５】
（第４実施形態）
例えば、図３においては、支柱７を、第１、第３のスクライブライン用仮想ライン１３、１５の交差部に対応する部分における両大型ガラス基板１１、１２間に介在するように形成した場合について説明したが、これに限らず、例えば図１２に示すこの発明の第４実施形態のように、支柱７を第１、第２および第３のスクライブライン用仮想ライン１３、１４および１５上であって、第１、第２のスクライブライン用仮想ライン１３、１４と第３のスクライブライン用仮想ライン１５との交差部を含まない領域における両大型ガラス基板１１、１２間に介在するように設けてもよい。
【００３６】
この場合、４つで１組の支柱７のうち同一のスクライブライン上に設けられた一対の支柱７、７の相対向する各端面の離間距離が１．０ｍｍ以下となるようにする。これにより、上述の実験結果からも明らかなように、支柱７から０．５ｍｍ以内においては、外形誤差を０．０２ｍｍ以下とすることができ、外形不良となる問題が発生する度合いを抑制することができる。具体的には、例えば、第１、第３のスクライブライン用仮想ライン１３、１５の交差部を挟んで、一のスクライブライン用仮想ライン上において最も近接する２つの支柱７、７の該スクライブライン用仮想ライン上における離間距離が１．０ｍｍ以下となるように、これら２つの支柱７、７を設けておくとよい。
【００３７】
（第５実施形態）
例えば、図３においては、支柱７の平面サイズを行方向に延びるスクライブライン用仮想ライン１３と列方向に延びるスクライブライン用仮想ライン１５との交差部の平面サイズよりも大きくした場合について説明したが、これに限らず、例えば図１３に示すこの発明の第５実施形態のように、両スクライブライン用仮想ライン１３、１５の交差部の平面サイズよりも小さくなるようにしてもよい。例えば、スクライブライン用仮想ライン１３、１５の幅が５０μｍである場合には、支柱７の平面サイズを３０×３０μｍとしてもよい。また、支柱７の平面形状は、正方形状に限らず、長方形状、円形状等を含め、任意の閉曲線によって囲繞される他の形状であってもよい。
【００３８】
（その他の実施形態）
上記実施形態では、支柱７は、シール材３と同一の材料によってシール材３の形成と同時に形成する場合について説明したが、これに限らず、シール材３とは別の材料によってシール材３の形成とは別に形成するようにしてもよい。例えば、第１の大型ガラス基板１１の上面にスクリーン印刷法により熱硬化型または紫外線硬化型エポキシ系樹脂等の液晶低汚染材料によってシール材３を形成し、次いでディスペンサ法により紫外線硬化型ポリイミド系樹脂等の材料によって支柱７を形成するようにしてもよい。例えば、紫外線硬化型ポリイミド系樹脂を含む支柱７を使用すると、液晶表示装置形成用構成体を切断したときに、支柱７がスクライブラインに沿って切断され易い。このため、完成品としての各液晶表示装置から支柱を除去しないで残存させる場合、確実に、各液晶表示装置上に分断されて残存させることができるという利点がある。
【００３９】
また、支柱７は第２の大型ガラス基板１２の下面に形成するようにしてもよい。例えば、第２の大型ガラス基板１２の第１の大型ガラス基板１１と対向する面にフォトリソグラフィ法によりアクリル樹脂等の感光性樹脂からなる柱状スペーサを形成するとともに支柱を形成するようにしてもよい。この場合、第１または第２の大型ガラス基板１１、１２の各対向する面のうち何れかにおいて、フォトスペーサを形成する液晶表示装置においては、このフォトスペーサを形成する際に、同時に、上述の第１乃至第５実施形態に記載した箇所に支柱を形成するだけでよいので、上述した効果に加えて、この液晶表示装置の製造ステップが増加しないという利点を、更に有する。
【００４０】
また、上述の第１乃至第５実施形態においては、第１のガラス基板（第１の大型ガラス基板）と第２のガラス基板（第２の大型ガラス基板）を入れ替えた構成としてよい。この場合に製造される液晶表示装置は、例えば、第２のガラス基板が第１のガラス基板から突出する突出部を備える構成となる。さらに、支柱７は、第１、第２の大型ガラス基板１１、１２のいずれに形成する場合であっても、必要に応じて、液晶表示装置形成用構成体１００から各素子に分断した後に、溶剤を用いて去したり、機械的に削って除去したりしてもよい。
【００４１】
また、支柱は、必ずしも、スクライブライン用仮想ライン同士の交差部又はその周辺部に設けられなくてもよい。この場合、第１、第２、第３のスクライブライン用仮想ライン１３、１４、１５と重なるように設けることが望ましい。上述の実験結果に基づくと、支柱は、各スクライブライン用仮想ラインと重なるように設けられた隣接する支柱同士の最短距離が、１．０ｍｍ以下となる位置に配置されることがさらに望ましい。また、上述の実験結果に基づくと、支柱は、必ずしも、各スクライブライン用仮想ラインと重なるように設けられなくてもよい。この場合、支柱と各スクライブライン用仮想ラインとの最短距離が、０．５ｍｍ以下となる位置に配置することが望ましい。なお、この場合の支柱は、各スクライブライン用仮想ラインと重なって設けられてもよいし、重ならないように設けられてもよい。
【図面の簡単な説明】
【００４２】
【図１】（Ａ）はこの発明の第１実施形態としての製造方法により製造された液晶表示装置の一例の平面図、（Ｂ）はそのＢ−Ｂ線に沿う断面図。
【図２】図１に示す液晶表示装置の製造工程を示す図。
【図３】図２のステップＳ１〜Ｓ５を説明するために示す第１、第２の大型ガラス基板の一部を切り欠いた一部の平面図。
【図４】図２のステップＳ５（第２に切断する）により得られた液晶セルの平面図。
【図５】実験用の液晶表示装置を示す一部を切り欠いた平面図。
【図６】図５に示す液晶表示装置の切断を説明するために示す支柱の部分の一部を切り欠いた平面図。
【図７】図６に示す各測定点の測定結果を説明するために示す図。
【図８】この発明の第２実施形態としての製造方法により製造された液晶表示装置の一例の平面図。
【図９】図８に示す液晶表示装置の製造方法の一例を説明するために示す図３同様の平面図。
【図１０】この発明の第３実施形態としての製造方法により製造された液晶表示装置の一例の平面図。
【図１１】図１０に示す液晶表示装置の製造方法の一例を説明するために示す図３同様の平面図。
【図１２】この発明の第４実施形態としての製造方法の一例を説明するために示す図３同様の拡大平面図。
【図１３】この発明の第５実施形態としての製造方法の一例を説明するために示す支柱の部分の一部を切り欠いた平面図。
【符号の説明】
【００４３】
１  第１のガラス基板
１ａ  突出部
２  第２のガラス基板
３  シール材
４  液晶
５  液晶注入口
６  封止材
７、７ａ、７ｂ、７ｃ  支柱
１１  第１の大型ガラス基板
１２  第２の大型ガラス基板
１３、１４、１５、１９  スクライブライン用仮想ライン
１６  液晶表示装置形成領域
１７  突出部形成領域
１８  液晶セル
１００  液晶表示装置形成用構成体
【図１】
2008033080.tif 000003
【図２】
2008033080.tif 000004
【図３】
2008033080.tif 000005
【図４】
2008033080.tif 000006
【図５】
2008033080.tif 000007
【図６】
2008033080.tif 000008
【図７】
2008033080.tif 000009
【図８】
2008033080.tif 000010
【図９】
2008033080.tif 000011
【図１０】
2008033080.tif 000012
【図１１】
2008033080.tif 000013
【図１２】
2008033080.tif 000014
【図１３】
2008033080.tif 000015